(57)【要約】【課題】起立時に肘掛けに肘を乗せて立ち上がりながら容易に杖をもつことができるとともに、着座時にも着座が完了するまで肘掛けと杖の両者を利用することができ、かつ着座した状態においても、保持部を容易に視認することができる保持部を設けた椅子を提供する。【解決手段】脚体１と、この脚体に支持された座体２と、この座体の左右両側に配設された肘掛け３とを備える椅子であって、左右の肘掛け間において、座体２の前部外周端面４における左右方向の隅部に、前向きまたは斜め前向きに開口する凹み部５を形成し、この凹み部に、杖や傘などの長尺物７を着脱自在に保持しうる保持部６を配設する。【選択図】      図５
2009219532.tif 000002
【特許請求の範囲】
【請求項１】
脚体と、この脚体に支持された座体と、この座体の左右両側に配設された肘掛けとを備える椅子であって、左右の肘掛け間において、座体の前部外周端面における左右方向の隅部に、前向きまたは斜め前向きに開口する凹み部を形成し、この凹み部に、杖や傘などの長尺物を着脱自在に保持しうる保持部を配設したことを特徴とする椅子。
【請求項２】
脚体と、この脚体に支持された、複数人が着座しうる左右方向に長い座体と、この座体の左右両端に配設された肘掛けとを備える椅子であって、この左右両端に配設された肘掛け間にも単数または複数の肘掛けを設けるとともに、これら隣接する左右の肘掛け間において、座体の前部外周端面における左右方向の隅部に、前向きまたは斜め前向きに開口する凹み部を形成し、この凹み部に、杖や傘などの長尺物を着脱自在に保持しうる保持部を配設したことを特徴とする椅子。
【請求項３】
凹み部を、座体の前部外周端面における左右方向の隅部を、平面視において、斜め前向きに開口する斜め、または前向きおよび左右方向の外向きに開口するＬ字状に切欠いて形成した請求項１または２記載の椅子。
【請求項４】
保持部を、前向きまたは斜め前向きに開口し、この開口部よりも幅広な保持空間を奥部に備えるものとし、長尺物を前方から後向きまたは斜め後向きに開口部を介して保持空間内に挿入しようとしたときに、長尺物の径よりも小さい開口幅を有する開口部が弾性的に押し広げられて長尺物が保持空間内に保持されると同時に、開口部が初期状態に復元しうるようにした請求項１〜３のいずれかに記載の椅子。
【請求項５】
保持部に、取付板を固着し、この取付板を肘掛けまたは座体に固着することにより、保持部を凹み部に配設した請求項１〜４のいずれかに記載の椅子。
【請求項６】
座体をクッション材と、このクッション材を支持する台座とから構成し、保持部または取付板を、前記台座に固着することにより、保持部を凹み部に配設した請求項１〜５のいずれかに記載の椅子。
【発明の詳細な説明】
【技術分野】
【０００１】
本発明は、例えば病院の待合室などにおいて使用される肘掛け付きの椅子であって、特に杖や傘などの長尺物の物品を保持するための保持部を備える椅子に関する。
【背景技術】
【０００２】
病院の待合室のような空間においては、歩行のために杖を必要とする人がいることから、杖の保持部を備える椅子が設置される場合があり、これに関する発明も公知である（特許文献１、２）。
このような椅子においては、使用者の起立時における利便性を考慮し、肘掛けの近くに杖の保持部を設けることにより、肘掛けに肘を乗せながら、杖をもって立ち上がることができるようになっていることが望ましい。
【０００３】
しかし、特許文献１の発明においては、杖の保持部が肘掛けの後上部に位置しているため、肘掛けに肘を乗せて立ち上がりながら杖をもつことはできない。また、立ち上がった後に、椅子の後方に回って杖を取り外す必要があるなどの問題があった。
また、特許文献２の発明においては、脚体の前部に杖の保持部が設けられており、起立時に肘掛けに肘を乗せて立ち上がりながら杖をもつことができるが、着座した状態においては杖の保持部を視認し難いため、起立時に、着座状態において前方に屈みこむような姿勢をとらねばならないという問題があった。
【特許文献１】特開２００２−３０６３０７号公報
【特許文献２】特開２００２−０６５３９４号公報
【発明の開示】
【発明が解決しようとする課題】
【０００４】
本発明は、前記の現状に鑑み、起立時に肘掛けに肘を乗せて立ち上がりながら容易に杖をもつことができるとともに、着座時にも着座が完了するまで肘掛けと杖の両者を利用することができ、かつ着座した状態においても、保持部を容易に視認することができ、かつ保持部が着座者の邪魔にならないような保持部を設けた椅子を提供することを目的とする。
【課題を解決するための手段】
【０００５】
本発明によると、上記課題は、特許請求の範囲における各請求項に示すように、下記の構成を備える発明によって解決される。
(１)   脚体と、この脚体に支持された座体と、この座体の左右両側に配設された肘掛けとを備える椅子であって、左右の肘掛け間において、座体の前部外周端面における左右方向の隅部に、前向きまたは斜め前向きに開口する凹み部を形成し、この凹み部に、杖や傘などの長尺物を着脱自在に保持しうる保持部を配設した椅子とする。
【０００６】
(２)   脚体と、この脚体に支持された、複数人が着座しうる左右方向に長い座体と、この座体の左右両端に配設された肘掛けとを備える椅子であって、この左右両端に配設された肘掛け間にも単数または複数の肘掛けを設けるとともに、これら隣接する左右の肘掛け間において、座体の前部外周端面における左右方向の隅部に、前向きまたは斜め前向きに開口する凹み部を形成し、この凹み部に、杖や傘などの長尺物を着脱自在に保持しうる保持部を配設した椅子とする。
【０００７】
(３)  上記(１)項または(２)項において、凹み部を、座体の前部外周端面における左右方向の隅部を、平面視において、斜め前向きに開口する斜め、または前向きおよび左右方向の外向きに開口するＬ字状に切欠いて形成する。
【０００８】
(４)  上記(１)項〜(３)項のいずれかにおいて、保持部を、前向きまたは斜め前向きに開口し、この開口部よりも幅広な保持空間を奥部に備えるものとし、長尺物を前方から後向きまたは斜め後向きに開口部を介して保持空間内に挿入しようとしたときに、長尺物の径よりも小さい開口幅を有する開口部が弾性的に押し広げられて長尺物が保持空間内に保持されると同時に、開口部が初期状態に復元しうるようにする。
【０００９】
(５)  上記(１)項〜(４)項のいずれかにおいて、保持部に、取付板を固着し、この取付板を肘掛けまたは座体に固着することにより、保持部を凹み部に配設する。
【００１０】
(６)  上記(１)項〜(５)項のいずれかにおいて、座体をクッション材と、このクッション材を支持する台座とから構成し、保持部または取付板を、前記台座に固着することにより、保持部を凹み部に配設する。
【発明の効果】
【００１１】
本発明によると、次のような効果が奏せられる。
請求項１記載の発明によれば、座体の前部外周端面における左右方向の隅部に、前向きまたは斜め前向きに開口する凹み部を形成し、この凹み部に保持部を配設してあるため、保持部が肘掛けと座体の両者の近くにあり、起立時に肘掛けに肘を乗せて立ち上がりながら容易に杖をもつことができるとともに、着座時にも着座が完了するまで肘掛けと杖の両者を利用することができる。
また、保持部が座体の前部外周端面における隅部の凹み部に配設してあるため、着座した状態においても、保持部を容易に視認することができ、かつ保持部が邪魔になることもない。さらに、保持部を凹み部に配設することにより、保持部が座体の前部外周端面より前方に突出しないようにすることも容易であり、このようにした場合、保持部が一層邪魔にならず、杖を使用しない人や、椅子の前方を通行する人にとっても、通常の椅子と同じような感覚で使用することができる。
【００１２】
請求項２記載の発明によれば、複数人が着座しうる長い座体を備える椅子において、請求項１記載の発明と同様な効果が奏せられる。さらに、保持部が隣接する左右の肘掛け間に形成した凹み部に配設されているため、この凹み部に保持された杖などの長尺物の所有者も一目瞭然である。
【００１３】
請求項３記載の発明によれば、座体に、本願発明の効果を有効に奏するための凹み部を容易に形成することができる。
【００１４】
請求項４記載の発明によれば、杖や傘などの長尺物を、保持部内に容易に挿入することができるとともに、挿入後において、長尺物が保持部から脱落することを防止することができる。
【００１５】
請求項５記載の発明によれば、保持部を、凹み部に固着することなく、取付板を肘掛けまたは座体に固着することにより、この取付板を介して保持部を凹み部に配設することができる。
【００１６】
請求項６記載の発明によれば、保持部を凹み部に位置安定よく配設することができる。
【発明を実施するための最良の形態】
【００１７】
以下、本発明を添付図面に基づいて詳細に説明する。  
図１は、本発明を実施した椅子の斜視図、図２は、同じく椅子の平面図、図３は、保持部の拡大斜視図、図４は、図２のIV〜IV線における部分拡大断面図、図５は、保持部を配設した周辺の部分拡大斜視図である。
【００１８】
本発明は、一人用の椅子にも適用しうるが、図１、図２に示すように、病院などの待合室に設置される複数人が着座しうる長い座体を備える椅子に好適に適用される。
【００１９】
椅子は、脚体１と、この脚体に支持された左右方向に長い座体２と、この座体の左右両端に配設された肘掛け３とを備えている。左右両端の肘掛け間にも、複数の肘掛け３が設けられている。
【００２０】
隣接する左右の肘掛け３間において、座体２の前部外周端面４における左右方向の隅部に、凹み部５が形成されている。
【００２１】
本明細書における隅部とは、人が座体２に着座した場合に、隅部に形成した凹み部５に配設した保持部６が、着座者の邪魔にならない左または右の肘掛け寄りの領域を称し、具体的には、隣接する左右の肘掛け３間における、座体２の前部外周端面４の左右方向の長さＬのうち、左または右の肘掛けから４分の１の長さＬ１内の領域が好ましく、さらには５分の１の長さＬ２内の領域が好ましい（図２参照）。
【００２２】
なお、左右方向に長い一つの座体に、適宜の間隔で肘掛けが設けられており、座体自体は各着座者のための境界が明瞭でない場合などにおいて、凹み部が肘掛けの真下の位置まで延設される形態も本発明の一実施形態である。
【００２３】
凹み部５は、図４に示すように、座体２の前部外周端面４の左右方向の隅部を、平面視において、前向きおよび左右方向の外向きに開口するＬ字状に切欠いて形成されている。
この凹み部５に、別途に形成した保持部６が配設されている。
【００２４】
保持部６は、図３に示すように、後面板６ａの左右端から前向きにそれぞれ側面板６ｂが延び、この側面板６ｂの遊端は、左右方向の内方において、後斜め向きに折曲されている。この後斜め向きに折曲された左右の遊端６ｃ間の間隙によって、保持部６の開口部６ｄが形成されている。
【００２５】
この開口部６ｄの奥部は、幅広な保持空間６ｅとなっている。
【００２６】
一般に、開口部６ｄの開口幅Ｗ１は、杖や傘などの長尺物７の径Ｗ２よりもやや小さく、保持空間６ｅの奥幅Ｗ３は、長尺物７の径Ｗ２よりも大きく形成されている。開口部６ｄの開口幅Ｗ１よりも大きい径Ｗ２を有する長尺物７を前方より開口部６ｄを介して保持空間６ｅ内に挿入しようとしたときに、開口部６ｄが弾性的に押し広げられて長尺物７が保持空間６ｅ内に保持されるとともに、長尺物７が保持空間６ｅ内に挿入された後は、開口部６ｄが開口幅Ｗ１を備える初期状態に復元しうるようになっている。
【００２７】
なお、開口部６ｄの開口幅Ｗ１が、長尺物７の径Ｗ２よりも小さいことは必ずしも必須ではない。
【００２８】
後面板６ａの中央には、保持部６を座体２に固着するための取付孔６ｆが穿設されている。
【００２９】
座体２は、クッション材２ａと、このクッション材２ａを支持する台座２ｂとから構成されており、保持部６は、ねじ８を前記取付孔６ｆを貫挿して台座２ｂにねじ込むことにより、座体２に固着されて、凹み部５に配設されている。
【００３０】
保持部６に保持させた長尺物７を、取り外す場合には、長尺物７を前方に押すことにより、保持部６における開口部６ｄが弾性的に押し広げられて開口幅Ｗ１が広がり、容易に長尺物７を保持部６から取り外すことができる。
【００３１】
図６、図７、図８は、本発明の第２実施形態を示し、それぞれ図３、図４、図５に相当する図面である。
【００３２】
本実施形態における保持部９は、図６に示すように、図５に示した保持部６と同一形態であり、その後面板の背面に、帯状の取付板９ａが溶着されている。
【００３３】
保持部９を配設する凹み部１０は、図７に示すように、座体１１の前部外周端面１２における左右方向の隅部を、平面視において斜め前向きに開口する斜めに切欠いて形成されている。
【００３４】
取付板９ａは、保持部９が、前記斜め前向きの凹み部１０に配設しうるように折曲され、その遊端は、肘掛け１３における立上り部１３ａの後面１３ｂに当接するように折曲されている。
【００３５】
保持部９は、ねじ１４をもって、クッション材１１ａと台座１１ｂからなる座体１１の台座１１ｂに固着されているとともに、ねじ１５をもって、取付板９ａを肘掛け１３の立上り部１３ａの後面１３ｂに固着することにより、座体１１における凹み部１０に配設されている。
【００３６】
長尺物１６を保持部９に保持させるには、前方から斜め後向きに保持部９の開口部９ｃを介して保持空間９ｄ内に容易に挿入して保持させることができる。
【００３７】
図９、図１０、図１１は、本発明の第３実施形態を示し、それぞれ図３、図４、図５に相当する図面である。
【００３８】
本実施形態における保持部１７は、図９に示すように、線状体をコ字状に折曲して形成した前後１対の挾持部材１７ａ、１７ｂの基部を、取付板１７ｃに溶着することにより形成され、取付板１７ｃの遊端は、前記第２実施形態と同様に、肘掛け１８における立上り部１８ａの後面１８ｂに当接しうるように折曲されている。
【００３９】
保持部１７を配設する凹み部１９は、図１０に示すように、第２実施形態と同様に、座体２０の前部外周端面２１における左右方向の隅部を、平面視において斜め前向きに開口する斜めに切欠いて形成されている。
【００４０】
保持部１７は、ねじ２１をもって、取付板１７ｃを、肘掛け１８の立上り部１８ａの後面１８ｂに固着することにより、座体１１における凹み部１９に配設されている。
【００４１】
保持部１７における１対の挾持部材１７ａ、１７ｂは、前部挾持部材１７ａの遊端１７ｄが前向きに折曲されて、後部挾持部材１７ｂの遊端１７ｅとの間に開口部１７ｆが形成されている。
【００４２】
長尺物２２を保持部１７に保持させるには、前方から長尺物２２を、保持部１７の開口部１７ｆに押し当て、斜め後向きに引張ることにより、１対の挾持部材１７ａ、１７ｂ間の保持空間１７ｇ内に容易に保持させることができる。
【００４３】
以上、本発明の第１実施形態〜第３実施形態を挙げて説明したが、本発明における保持部は、凹み部に配設されていればよく、凹み部に固着されていることは必ずしも必要でない。
保持部が凹み部に直接固着されていてもよいが、保持部に固着された取付板を介して、この取付板が凹み部、肘掛け、あるいは座体の裏面などに固着されることにより、保持部が凹み部に配設されていればよい。
【図面の簡単な説明】
【００４４】
【図１】本発明を実施した椅子の斜視図である。
【図２】同じく椅子の平面図である。
【図３】保持部の拡大斜視図である。
【図４】図２のIV〜IV線における部分拡大断面図である。
【図５】保持部を取付けた周辺の部分拡大斜視図である。
【図６】本発明の第２実施形態における保持部の拡大斜視図であり、図３に相当する図面である。
【図７】同じく、図４に相当する第２実施形態の図面である。
【図８】同じく、図５に相当する第２実施形態の図面である。
【図９】本発明の第３実施形態における保持部の拡大斜視図であり、図３に相当する図面である。
【図１０】同じく、図４に相当する第３実施形態の図面である。
【図１１】同じく、図５に相当する第３実施形態の図面である。
【符号の説明】
【００４５】
１  脚体
２  座体
２ａ  クッション材
２ｂ  台座
３  肘掛け
４  前部外周端面
５  凹み部
６  保持部
６ａ  後面板
６ｂ  側面板
６ｃ  遊端
６ｄ  開口部
６ｅ  保持空間
６ｆ  取付孔
７  長尺物
８  ねじ
９  保持部
９ａ  取付板
９ｂ  開口部
９ｃ  保持空間
１０  凹み部
１１  座体
１２  前部外周端面
１３  肘掛け
１３ａ  立上り部
１３ｂ  後面
１４、１５  ねじ
１６  長尺物
１７  保持部
１７ａ、１７ｂ  挾持部材
１７ｃ  取付板
１７ｄ、１７ｅ  遊端
１７ｆ  開口部
１７ｇ  保持空間
１８  肘掛け
１８ａ  立上り部
１８ｂ  後面
１９  凹み部
２０  座体
２１  ねじ
【図１】
2009219532.tif 000003
【図２】
2009219532.tif 000004
【図３】
2009219532.tif 000005
【図４】
2009219532.tif 000006
【図５】
2009219532.tif 000007
【図６】
2009219532.tif 000008
【図７】
2009219532.tif 000009
【図８】
2009219532.tif 000010
【図９】
2009219532.tif 000011
【図１０】
2009219532.tif 000012
【図１１】
2009219532.tif 000013